(57)【要約】【課題】  回転軸と、回転軸により駆動される圧縮機構と、回転軸と圧縮機構とを収容するハウジングと、ハウジングボス部と当該ボス部を貫通する回転軸との間に配設された軸封装置とを備える冷媒ガス圧縮機であって、冷媒ガスのハウジング外への漏洩を従来に比べて、より効果的に阻止できる冷媒ガス圧縮機を提供する。【解決手段】  回転軸と、回転軸により駆動される圧縮機構と、回転軸と圧縮機構とを収容するハウジングと、ハウジングボス部と当該ボス部を貫通する回転軸との間に配設された軸封装置と、回転軸先端部に固定され外部駆動源により回転駆動される回転体とを備え、回転体はハウジングボス部に挿入されると共に回転軸先端部が挿入されるボス部を有し、ハウジングボス部と回転体ボス部との間の環状隙間に第２軸封装置が配設されている。【選択図】  図２
2006283747.tif 000002
【特許請求の範囲】
【請求項１】
回転軸と、回転軸により駆動される圧縮機構と、回転軸と圧縮機構とを収容するハウジングと、ハウジングボス部と当該ボス部を貫通する回転軸との間に配設された軸封装置と、回転軸先端部に固定され外部駆動源により回転駆動される回転体とを備え、回転体はハウジングボス部に挿入されると共に回転軸先端部が挿入されるボス部を有し、ハウジングボス部と回転体ボス部との間の環状隙間に第２軸封装置が配設されていることを特徴とする冷媒ガス圧縮機。
【請求項２】
回転体ボス部と当該ボス部に挿入された回転軸先端部との間にシール部材が配設されていることを特徴とする請求項１に記載の冷媒ガス圧縮機。
【請求項３】
第２軸封装置は水素化二トリルゴム又はフッ素樹脂を主体に配合された素材により形成されたリップシール部材を有していることを特徴とする請求項１又は２に記載の冷媒ガス圧縮機。
【請求項４】
シール部材は水素化二トリルゴムを主体に配合された素材により形成されていることを特徴とする請求項２に記載の冷媒ガス圧縮機。
【請求項５】
軸封装置と第２軸封装置との間に潤滑剤が配設されていることを特徴とする請求項１乃至４の何れか１項に記載の冷媒ガス圧縮機。
【請求項６】
軸封装置と第２軸封装置との間に冷媒吸着剤が配設されていることを特徴とする請求項１乃至５の何れか１項に記載の冷媒ガス圧縮機。
【発明の詳細な説明】
【技術分野】
【０００１】
本発明は、冷媒ガス圧縮機に関するものである。
【背景技術】
【０００２】
回転軸と、回転軸により駆動される圧縮機構と、回転軸と圧縮機構とを収容するハウジングと、ハウジングボス部と当該ボス部を貫通する回転軸との間に配設された軸封装置とを備える冷媒ガス圧縮機が特許文献１等に開示されている。
【特許文献１】特開２００３−２４６９７６
【発明の開示】
【発明が解決しようとする課題】
【０００３】
回転軸のハウジング貫通部を介する冷媒ガスのハウジング外への漏洩は、当該貫通部に配設された軸封装置により阻止されているが、軸封装置は冷媒ガスのハウジング外への漏洩を完全に阻止できるものではない。
本発明は上記問題に鑑みてなされたものであり、回転軸と、回転軸により駆動される圧縮機構と、回転軸と圧縮機構とを収容するハウジングと、ハウジングボス部と当該ボス部を貫通する回転軸との間に配設された軸封装置とを備える冷媒ガス圧縮機であって、冷媒ガスのハウジング外への漏洩を従来に比べて、より効果的に阻止できる冷媒ガス圧縮機を提供することを目的とする。
【課題を解決するための手段】
【０００４】
上記課題を解決するために、本発明においては、回転軸と、回転軸により駆動される圧縮機構と、回転軸と圧縮機構とを収容するハウジングと、ハウジングボス部と当該ボス部を貫通する回転軸との間に配設された軸封装置と、回転軸先端部に固定され外部駆動源により回転駆動される回転体とを備え、回転体はハウジングボス部に挿入されると共に回転軸先端部が挿入されるボス部を有し、ハウジングボス部と回転体ボス部との間の環状隙間に第２軸封装置が配設されていることを特徴とする冷媒ガス圧縮機を提供する。
本発明に係る冷媒ガス圧縮機においては、ハウジングボス部と当該ボス部を貫通する回転軸との間に配設された軸封装置から僅かに漏れ出た冷媒ガスのハウジング外へ漏洩は、回転軸先端部に固定され外部駆動源により回転駆動される回転体のボス部とハウジングボス部との間の環状隙間に配設された第２軸封装置により阻止される。従って本発明に係る冷媒ガス圧縮機においては、冷媒ガスのハウジング外への漏洩が従来に比べてより効果的に阻止される。
【０００５】
本発明の好ましい態様においては、回転体ボス部と当該ボス部に挿入された回転体先端部との間にシール部材が配設されている。
回転体ボス部と当該ボス部に挿入された回転体先端部との間に配設されたシール部材により、ハウジングボス部と当該ボス部を貫通する回転軸との間に配設された軸封装置から僅かに漏れ出た冷媒ガスが、回転体ボス部と当該ボス部に挿入された回転体先端部との間の隙間を通ってハウジング外へ漏洩する事態の発生が阻止される。この結果、冷媒ガスのハウジング外への漏洩がより効果的に阻止される。
【０００６】
本発明の好ましい態様においては、軸封装置と第２軸封装置との間に潤滑剤が配設されている。
軸封装置と第２軸封装置との間に潤滑剤が配設されることにより、第２軸封装置が潤滑され、第２軸封装置のシール材の磨耗が抑制される。
【０００７】
本発明の好ましい態様においては、軸封装置と第２軸封装置との間に冷媒吸着剤が配設されている。
軸封装置と第２軸封装置との間に冷媒吸着剤が配設されることにより、冷媒ガスのハウジング外への漏洩が更に効果的に阻止される。
【発明の効果】
【０００８】
本発明に係る冷媒ガス圧縮機においては、ハウジングボス部と当該ボス部を貫通する回転軸との間に配設された軸封装置から僅かに漏れ出た冷媒ガスのハウジング外へ漏洩は、回転軸先端部に固定され外部駆動源により回転駆動される回転体のボス部とハウジングボス部との間の環状隙間に配設された第２軸封装置により阻止される。従って本発明に係る冷媒ガス圧縮機においては、冷媒ガスのハウジング外への漏洩が従来に比べてより効果的に阻止される。
【発明を実施するための最良の形態】
【０００９】
本発明の実施例に係る斜板式冷媒ガス圧縮機を説明する。
【実施例１】
【００１０】
図１に示すように、冷媒ガスを吸入圧縮する可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係留されている。
ピストン１５は、シリンダブロック１６に形成されたボア１６ａに挿入されている。
ローター１１、斜板１２、シュー１４、ピストン１５は、回転軸１０により駆動される圧縮機構を構成している。
回転軸１０、ローター１１、斜板１２を収容するクランク室１７を形成する有底円筒状のフロントハウジング１８が配設されている。回転軸１０は、フロントハウジング１８のボス部１８ａを貫通して外部へ延びている。
フロントハウジングのボス部１８ａと当該ボス部を貫通する回転軸１０との間の環状隙間に回転軸貫通部を密封する軸封装置１９が配設されている。
【００１１】
フロントハウジング１８に取りつけられた電磁クラッチ２０のアーマチュア２１にボス部２１ａが形成されている。ボス部２１ａはフロントハウジングのボス部１８ａに挿入されると共に、ボス部２１ａに回転軸１０の先端部１０ａが挿入されている。フロントハウジングのボス部１８ａとアーマチュアのボス部２１ａとの間の環状隙間に、且つ軸封装置１９よりもフロントハウジング外側に第２軸封装置２２が配設されている。
第２軸封装置２２は、図２に示すように、リップシール部材２２ａと、リップシール部材２２ａを保持固定する保持金具２２ｂ、２２ｃとを有している。フロントハウジングのボス部１８ａに係止されたスナップリング２３が、ボス部１８ａからの第２軸封装置２２の脱落を防止している。リップシール部材２２ａの外周縁部はボス部１８ａの内周面に当接して、リップシール部材２２ａとボス部１８ａとの間の隙間からの冷媒ガスの漏洩を防止し、リップシール部材２２ａの内周縁部は回転軸１０に当接して、リップシール部材２２ａと回転軸１０との間の隙間からの冷媒ガスの漏洩を防止している。リップシール部材２２ａは耐冷媒ガス透過性と耐磨耗性とに優れる水素化二トリルゴム（HNBR）又はフッ素樹脂を主体に配合された素材により形成されている。
【００１２】
アーマチュアのボス部２１ａと回転軸１０の先端部１０ａとが、セレーション結合又はスプライン結合し、回転軸１０の先端部１０ａから更に突出する先端小径部１０ｂがアーマチュアのボス部２１ａ貫通し、当該先端小径部１０ｂにナット２４が螺合して、ナット２４の座面がアーマチュア２１のボス部端面に押し付けられることにより、アーマチュア２１は回転軸１０先端部１０ａに固定されている。前記先端小径部１０ｂとアーマチュアのボス部２１ａとの間の環状隙間にＯリング２５が配設されている。Ｏリング２５は耐冷媒ガス透過性に優れる水素化二トリルゴム（HNBR）を主体に配合された素材により形成されている。
図示しない外部駆動源から電磁クラッチのアーマチュア２１を介して回転軸１０に回転動力が伝達される。
【００１３】
図１に示すように、吸入室と吐出室とを形成するシリンダヘッド２６が配設されている。
シリンダブロック１６とシリンダヘッド２６との間にボア１６ａに連通する吸入穴と吐出穴とが形成された弁板２７が配設されている。
フロントハウジング１８、シリンダブロック１６、弁板２７、シリンダヘッド２６は、ボルト２８により一体に組み付けられている。フロントハウジング１８、シリンダブロック１６、弁板２７、シリンダヘッド２６は回転軸１０と回転軸１０により駆動される圧縮機構とを収容するハウジングを形成している。
フロントハウジング１８とシリンダブロック１６との間、シリンダブロック１６と弁板２７との間、弁板２７とシリンダヘッド２６との間に、ガスケット２９、３０、３１が配設されている。
回転軸１０はフロントハウジング１８、シリンダブロック１６により回転可能に支持されている。
【００１４】
可変容量型斜板式圧縮機Ａにおいては、図示しない外部駆動源の回転動力が電磁クラッチ２０のアーマチュア２１に伝達されてアーマチュア２１が回転し、アーマチュア２１の回転がセレーション結合部又はスプライン結合部を介して回転軸１０に伝達され、回転軸１０の回転がローター１１、リンク機構１３を介して斜板１２に伝達される。斜板１２の回転に伴う斜板１２周縁部の回転軸１０延在方向の往復動が、シュー１４を介してピストン１５に伝達され、ピストン１５がボア１６ａ内で往復動する。外部冷凍回路から還流した冷媒が、シリンダヘッド２６に形成された吸入ポートと吸入室と吸入穴と吸入弁とを介してボア１６ａへ吸入され、ボア１６ａ内で圧縮され、吐出穴と吐出弁と吐出室とシリンダヘッド２６に形成された吐出ポートとを介して外部冷凍回路へ流出する。
軸封装置１９、２２、Ｏリング２５、ガスケット２９〜３１により、可変容量型斜板式圧縮機Ａのハウジングからの冷媒ガスの漏洩が防止されている。
【００１５】
可変容量型斜板式圧縮機Ａにおいては、フロントハウジングのボス部１８ａとボス部１８ａを貫通する回転軸１０との間の環状隙間に配設された軸封装置１９から僅かに漏れ出た冷媒ガスのハウジング外へ漏洩は、回転軸先端部１０ａに固定され外部駆動源により回転駆動されるアーマチュア２１のボス部２１ａとフロントハウジングのボス部１８ａとの間の環状隙間に配設された第２軸封装置２２により阻止される。従って可変容量型斜板式圧縮機Ａにおいては、冷媒ガスのハウジング外への漏洩が、第２軸封装置２２を有さない従来の冷媒ガス圧縮機に比べてより効果的に阻止される。
【００１６】
可変容量型斜板式圧縮機Ａにおいては、アーマチュア２１のボス部２１ａとボス部２１ａに挿入された回転軸の小径先端部１０ｂとの間の環状隙間に配設されたＯリング２５により、フロントハウジングのボス部１８ａとボス部１８ａを貫通する回転軸１０との間の環状隙間に配設された軸封装置１９から僅かに漏れ出た冷媒ガスが、回転軸の小径先端部１０ｂとアーマチュア２１のボス部２１ａとの間の環状隙間を通ってハウジング外へ漏洩する事態の発生が阻止される。この結果、冷媒ガスのハウジング外への漏洩がより効果的に阻止される。
【００１７】
可変容量型斜板式圧縮機Ａにおいては、回転軸１０の先端部１０ａから更に突出する先端小径部１０ｂがアーマチュアのボス部２１ａを貫通し、当該先端小径部１０ｂにナット２４が螺合して、ナット２４の座面をアーマチュア２１のボス部端面に押し付けることにより、アーマチュア２１を回転軸１０先端部１０ａに固定したが、アーマチュアのボス部２１ａに挿入した回転軸先端部１０ａの端面に、アーマチュアのボス部２１ａを貫通するボルトを螺入させ、ボルト頭部の座面をアーマチュア２１のボス部端面に押し付けることにより、アーマチュア２１を回転軸１０先端部１０ａに固定しても良い。この場合には、Ｏリング２５は回転軸先端部１０ａの先端近傍部とアーマチュアのボス部２１ａとの間の環状隙間に配設することになる。
【実施例２】
【００１８】
図２に一点鎖線で示すように、軸封装置１９と第２軸封装置２２との間にオイル等の液体潤滑剤や二硫化モリブデン等の固体潤滑剤を３２を配設しても良い。潤滑剤３２は、アーマチュアのボス部２１ａに塗布しても良く、或いは軸封装置１９と第２軸封装置２２の間に空間に封入しても良い。
軸封装置１９と第２軸封装置２２との間に潤滑剤３２が配設されることにより、第２軸封装置２２のリップシール部材２２ａが潤滑され、リップシール部材２２ａの磨耗が抑制される。
【実施例３】
【００１９】
図２に二点鎖線で示すように、軸封装置１９と第２軸封装置２２との間に活性炭やゼオライト等の冷媒吸着剤３３を配設しても良い。円筒状に形成した冷媒吸着剤３３を、ボス部１８ａの回転軸貫通穴に嵌合固定する。
軸封装置１９と第２軸封装置２２との間に冷媒吸着剤３３が配設されることにより、冷媒ガスのハウジング外への漏洩が更に効果的に阻止される。
【産業上の利用可能性】
【００２０】
本発明は斜板式圧縮機のみならず、冷媒ガスを吸引圧縮する全ての形式の圧縮機に広く利用可能である。
【図面の簡単な説明】
【００２１】
【図１】本発明の実施例に係る可変容量型斜板式圧縮機の断面図である。
【図２】本発明の実施例に係る可変容量型斜板式圧縮機の部分拡大断面図である。
【符号の説明】
【００２２】
Ａ  可変容量型斜板式圧縮機
１０  回転軸
１１  ローター
１２  斜板
１３  リンク機構
１４  シュー
１５  ピストン
１８  フロントハウジング
１９、２２  軸封装置
２１  アーマチュア
２５  Ｏリング
３２  潤滑剤
３３  冷媒吸着剤
【図１】
2006283747.tif 000003
【図２】
2006283747.tif 000004